(57)【要約】【課題】プルタブ付きの蓋材で密封された、カップ型容器において、プルタブがつまみやすく、また、開封においても、蓋材とカップ型容器本体とのシール強度を妨げることなく、より小さな力で安定して開封可能な、易開封機能つきカップ型容器を提供することを課題とする。【解決手段】カップ型容器において、蓋材はプルタブを有しており、容器本体は、開口部を有しており、開口部はシール部をその周縁部に有しており、蓋材は容器本体側にシーラント層を有して、開口部とその周縁部とを覆っており、蓋材と容器本体とは、この周縁部でシールされて、カップ型容器は密封されており、蓋材には、シーラント層側からのハーフカットが、開口部の縁、および周縁部の外周に沿って設けられており、容器本体には、胴部に手指で把持可能な凹み、もしくは把持によって容易に形成される凹みが設けられていることを特徴とする、易開封機能つきカップ型容器。【選択図】図１
2020075725.tif 000002
【特許請求の範囲】
【請求項１】
蓋材と容器本体とからなるカップ型容器において、
蓋材は、プルタブを有しており、
容器本体は、開口部を有しており、
開口部は、シール部を、その周縁部に有しており、
蓋材は容器本体側にシーラント層を有して、開口部とその周縁部とを覆って、プルタブは容器外側に向けてさらに突き出して配置されており、
蓋材と容器本体とは、この周縁部でシールされて、カップ型容器は密封されており、
蓋材には、シーラント層側からのハーフカットが、開口部の縁、および周縁部の外周に沿って設けられており、
容器本体には、胴部に手指で把持可能な凹み、もしくは把持によって容易に形成される凹みが設けられていることを特徴とする、易開封機能つきカップ型容器。
【請求項２】
前記凹み、もしくは把持によって容易に形成される凹みは、２箇所以上設けられていることを特徴とする、請求項１に記載の易開封機能つきカップ型容器。
【請求項３】
前記蓋材は、金属箔もしくは無機化合物の蒸着層からなるガスバリア層を含む、層構成であることを特徴とする、請求項１または請求項２に記載の易開封機能つきカップ型容器。
【請求項４】
前記容器本体は、ガスバリア層を層構成に含むか、もしくは表面に設けてあることを特徴とする、請求項１〜請求項３のいずれかに記載の易開封機能つきカップ型容器。
【発明の詳細な説明】
【技術分野】
【０００１】
本発明は、容器に関するものである。特に蓋付きのカップ容器において、蓋を開けて内容物を露出させ取り出しをしようとする際に、より容易にかつ安定して開封できる、易開封機能つきカップ型容器に関するものである。
【背景技術】
【０００２】
たとえば、紙やプラスチックを素材とした、カップ型容器に食品が充填されていて、開口部は、紙やプラスチックフィルムを素材とした蓋でシール、密封された商品は、その利便性、経済性から、さまざまなものが商品として、小売店、コンビニエンスストアなどの棚を賑わわしている。
【０００３】
カップ型容器について食品を例にとれば、たとえば、カップ包装として、味噌のカップ包装があり、ヨーグルト、ゼリーやプリンなどのデザート類のためのアセプティック包装、また米飯の保存、加熱調理が可能な無菌包装、あるいはカップラーメンのカップ包装などがある。
【０００４】
そのほかにも、たとえばシリンジなどの医療関連や、インクカートリッジ、トナー容器等の工業製品、あるいはウエットティッシュや洗剤などのトイレタリー用品など、多種多様な分野で商品化されており、カップ型容器は、現代の日常生活には欠くことのできない存在となっている。
【０００５】
これらは多くの場合、保存中は密封状態の維持が求められ、内容物を取り出したい場合には、蓋を容易に開封できることが望まれる。このような一見して二律背反とも言える要求に応えて、イージーピール包装技法が発達してきた。
【０００６】
一方で、より便利さを求める消費者の増加、あるいは高齢化社会の到来に伴って、より扱い易く、開封などにも大きな力を必要としない、易開封に対するニーズ、所謂バリアフリーニーズも高まっている。
【０００７】
これに対して、特許文献１には、外層と内装からなる蓋材で、内装に切り込みを設けておき、外層を剥離して開封する容器が提案されてる。しかしながら、開封に際して容器のつかみやすさや、開封のしやすさ、安定性については十分考慮されているものではなかった。
【先行技術文献】
【特許文献】
【０００８】
【特許文献１】特開２００３−２３７８１１号公報
【発明の概要】
【発明が解決しようとする課題】
【０００９】
本発明は、かかる状況に鑑みてなされたものであり、プルタブ付きの蓋材で密封された、カップ型容器において、プルタブがつまみやすく、また、開封においても、蓋材とカップ型容器本体とのシール強度を妨げることなく、より小さな力で安定して開封可能な、易開封機能つきカップ型容器を提供することを課題とする。
【課題を解決するための手段】
【００１０】
上記の課題を解決するための手段として、請求項１に記載の発明は、
蓋材と容器本体とからなるカップ型容器において、
蓋材は、プルタブを有しており、
容器本体は、開口部を有しており、
開口部は、シール部を、その周縁部に有しており、
蓋材は容器本体側にシーラント層を有して、開口部とその周縁部とを覆って、プルタブは容器外側に向けてさらに突き出して配置されており、
蓋材と容器本体とは、この周縁部でシールされて、カップ型容器は密封されており、
蓋材には、シーラント層側からのハーフカットが、開口部の縁、および周縁部の外周に沿って設けられており、
容器本体には、胴部に手指で把持可能な凹み、もしくは把持によって容易に形成される凹みが設けられていることを特徴とする、易開封機能つきカップ型容器である。
【００１１】
また、請求項２に記載の発明は、
前記凹み、もしくは把持によって容易に形成される凹みは、２箇所以上設けられていることを特徴とする、請求項１に記載の易開封機能つきカップ型容器である。
【００１２】
また、請求項３に記載の発明は、
前記蓋材は、金属箔もしくは無機化合物の蒸着層からなるガスバリア層を含む、層構成であることを特徴とする、請求項１または請求項２に記載の易開封機能つきカップ型容器である。
【００１３】
また、請求項４に記載の発明は、
前記容器本体は、ガスバリア層を層構成に含むか、もしくは表面に設けてあることを特徴とする、請求項１〜請求項３のいずれかに記載の易開封機能つきカップ型容器である。
【発明の効果】
【００１４】
本発明によれば、プルタブ付きの蓋材で密封された、カップ型容器において、プルタブがつまみやすく、また、開封においても、蓋材とカップ型容器本体とのシール強度を妨げることなく、より小さな力で安定して開封可能な、易開封機能つきカップ型容器を提供することが可能である。
【００１５】
すなわち、蓋材と容器本体とからなるカップ型容器において、蓋材は、プルタブを有していることによって、開封に際しては蓋材を容易に手指で摘まんで引っ張ることが可能である。
【００１６】
また、蓋材には、シーラント層側からのハーフカットが、開口部の縁、および周縁部の外周に沿って設けられているために、開封に際して蓋材を摘まんで引っ張るときに、シーラント層が容器本体の周縁部に残り、開封が容易かつ安定して行なわれることに有効である。
【００１７】
また、容器本体には、胴部に手指で把持可能な凹み、もしくは把持によって容易に形成される凹みが設けられていることによって、開封に際して片方の手指で蓋材を摘まんで引っ張るときに、もう一方の手指で容器本体をより安定して押さえることが可能になるため、より小さな力で安定して開封可能な、易開封機能つきカップ型容器を提供することが可能である。
【００１８】
特に請求項２に記載の発明によれば、容器本体に凹み、もしくは把持によって容易に形成される凹みが、２箇所以上設けられていることによって、日本の指で挟んで把持するなど、容器本体をより安定して把持することが可能になるため、より小さな力で安定して開封可能な、易開封機能つきカップ型容器を提供することが可能である。加えて複数あるこ
とによって、把持の仕方の自由度が増す効果がある。
【００１９】
また特に請求項３に記載の発明によれば、蓋材は、金属箔もしくは無機化合物の蒸着層からなるガスバリア層を含む、層構成であることによって、内容物の保存性を高めたり、外部環境による変質を防止するなどの機能を付与することが可能である。
【００２０】
また特に請求項４に記載の発明によれば、容器本体は、ガスバリア層を層構成に含むか、もしくは表面に設けてあることによって、内容物の保存性を高めたり、外部環境による変質を防止するなどの機能を付与することが可能である。
【図面の簡単な説明】
【００２１】
【図１】図１は、本発明に係る易開封機能つきカップ型容器の一実施態様を説明するための、斜視模式図である。
【図２】図２は、本発明に係る易開封機能つきカップ型容器の一実施態様において、容器本体が蓋材で密封された状態を説明するための、断面模式図である。
【図３】図３は、本発明に係る易開封機能つきカップ型容器の一実施態様において、蓋材の層構成、および容器本体とのシール部分を詳しく説明するための、図２のＡ部分の拡大部分断面模式図である。
【図４】図４は、本発明に係る易開封機能つきカップ型容器の一実施態様において、カップ型容器の開封途中の状態を説明するための、断面模式図である。
【図５】図５は、本発明に係る易開封機能つきカップ型容器の一実施態様において、カップ型容器が開封され、蓋材を分離して、開口部が全て露出した状態を説明するための、断面模式図である。
【図６】図６は、本発明に係る易開封機能つきカップ型容器の一実施態様において、容器本体の凹みを、一方の手指で押さえて開封する様子を説明するための、斜視模式図である。
【図７】図７は、本発明に係る易開封機能つきカップ型容器の一実施態様のうち容器本体が四角形の場合に関して、胴部の凹みが１箇所の例を説明するための、容器上部より見た平面模式図である。
【図８】図８は、本発明に係る易開封機能つきカップ型容器の一実施態様のうち容器本体が四角形の場合に関して、胴部の凹みが２箇所の例を説明するための、容器上部より見た平面模式図である。
【図９】図９は、本発明に係る易開封機能つきカップ型容器の一実施態様のうち容器本体が四角形の場合に関して、胴部の凹みが３箇所の例を説明するための、容器上部より見た平面模式図である。
【図１０】図１０は、本発明に係る易開封機能つきカップ型容器の一実施態様のうち容器本体が四角形の場合に関して、胴部の凹みが４箇所の例を説明するための、容器上部より見た平面模式図である。
【図１１】図１１は、本発明に係る易開封機能つきカップ型容器の一実施態様のうち容器本体が円形の場合に関して、胴部の凹みが１箇所の例を説明するための、容器上部より見た平面模式図である。
【図１２】図１２は、本発明に係る易開封機能つきカップ型容器の一実施態様のうち容器本体が円形の場合に関して、胴部の凹みが２箇所の例を説明するための、容器上部より見た平面模式図である。
【発明を実施するための形態】
【００２２】
以下、本発明を図１〜図１２を参照しながら、更に詳しい説明を加える。ただし本発明は、ここに示す例にのみ限定されるものではない。本発明は、請求項によって限定されるものである。
【００２３】
図１は、本発明に係る易開封機能つきカップ型容器の一実施態様を説明するための、斜視模式図である。
【００２４】
本発明はカップ型容器（３０）に関するものであって、易開封機能を有し、蓋材（１０）と容器本体（２０）とからなる。図１に示す例においては、容器本体（２０）は外形が四角形の形状であって、開口部および蓋材（１０）もまた四角形の形状である。
【００２５】
カップ型容器（３０）の外形は四角形以外でも、多角形、円形、あるいは楕円形などの形状とすることも可能であって、意匠性や内容物の種類、目的などによって、その外形を適宜決定すればよい。
【００２６】
蓋材（１０）は、容器外側に向けて突き出して配置された、プルタブ（１１）を有しており、プルタブ（１１）を有していることによって、カップ型容器（３０）の開封に際しては、プルタブ（１１）を手指で摘まんで引っ張り、それに連続する蓋材（１０）を容器本体（２０）から剥離して開封することができる。
【００２７】
したがってプルタブ（１１）は、手指で摘まむことを考慮して、指先の大きさ程度に十分大きくしておくことが、好ましい。
【００２８】
蓋材（１０）と容器本体（２０）のシールは、たとえば蓋材（１０）の容器本体（２０）側の表面にシーラント層を設けてシールして、カップ型容器（３０）を密封することができる。
【００２９】
また、蓋材（１０）には、シーラント層側からのハーフカットが、開口部の縁、および周縁部の外周に沿って設けられている。
【００３０】
図１に示す例において、蓋材に示された２本の破線は、蓋材の外側からは不可視であるが、それぞれ開口部の縁に設けられたハーフカット（１２）、および周縁部の外周に沿って設けられたハーフカット（１３）である。
【００３１】
この２本の破線に挟まれた領域は、蓋材（１０）の外側からは不可視であるが、容器本体（２０）の開口部の周縁部であって、この部分がシール部（１５）としてシールされて、カップ型容器（３０）は密封されている。
【００３２】
カップ型容器（３０）の容器本体（２０）の胴部には、凹み（２５）が設けてあり、開封に際して容器本体（２０）を手指で把持して、容易かつ安定的な開封に効果的である。この凹み（２５）は予め設けてあるものでも良く、把持によって容易に凹み（２５）が形成されるものでもよい。
【００３３】
また凹み（２５）は１箇所設けるものであっても良く、あるいは複数個所設けることもでき、この場合には、手指による把持は一層安定的なものとなる。図１に示す例において、図には全てが示されていないが、凹み（２５）は四角形の胴部の各面に１箇所づつ、計４箇所に設けてある例を意図している。
【００３４】
図２は、本発明に係る易開封機能つきカップ型容器の一実施態様において、容器本体が蓋材で密封された状態を説明するための、断面模式図である。
【００３５】
本発明はカップ型容器（３０）に関するものであって、易開封機能を有し、蓋材（１０）と容器本体（２０）とからなる。
【００３６】
容器本体（２０）は、胴部（２３）および底部（２４）を有して、内容物（４０）を収納可能に中央部が窪んでおり、開口部（２１）、およびその周縁部（２２）を有する。
【００３７】
蓋材（１０）は、容器外側のトップシール層（６）、および容器内側のヒートシール層（９）からなる。蓋材（１０）の詳細な層構成については、図２のＡ部分の拡大図による図３の説明において後述する。
【００３８】
蓋材（１０）は、プルタブ（１１）を有しており、また、容器本体（２０）は、開口部（２１）を有しており、開口部（２１）は、それに連続する周縁部（２２）を有している。
【００３９】
また、蓋材（１０）は容器本体（２０）側にシーラント層を有して、開口部（２１）とその周縁部（２２）とを覆って、プルタブ（１１）は容器外側に向けてさらに突き出して配置されている。
【００４０】
また、蓋材（１０）と容器本体（２０）とは、この周縁部（２２）でシールされて、シール部（３１）を形成し、カップ型容器（３０）は、内容物（４０）を容器内側に収納してのち、密封されている。
【００４１】
また、蓋材（１０）には、シーラント層側からのハーフカットが、開口部の縁、および周縁部の外周に沿って設けられており、図２においては、それぞれ、開口部の縁に設けられたハーフカット（１２）、および周縁部の外周に沿って設けられたハーフカット（１３）である。
【００４２】
これらのハーフカットの深さは、容器内側のヒートシール層（９）の厚さ以内であれば良く、容器外側のトップシール層（６）に影響を与えることなく、またガスバリア性能等にも影響を与えない範囲のものとする。
【００４３】
図３は、本発明に係る易開封機能つきカップ型容器の一実施態様において、蓋材の層構成、および容器本体とのシール部分を詳しく説明するための、図２のＡ部分の拡大部分断面模式図である。
【００４４】
図２に示す例と同様に、図３に示す例においても、蓋材（１０）は、２重構造になっており、トップシール層（６）とヒートシール層（９）とからなる。
【００４５】
カップ型容器（３０）の開封において、トップシール層（６）は剥離されて容器本体（２０）から分離される層であり、ヒートシール層（９）は、その一部が容器本体（２０）の周縁部（２２）に残留する層である。
【００４６】
さらに図３に示す例において、トップシール層（６）は、容器外側から、基材フィルム層（１）、接着剤層（２）、ガスバリア層（３）、プラスチックフィルム層（４）、からなる。このうち、ガスバリア層（３）およびプラスチックフィルム層（４）は、ガスバリアフィルム層（５）としてトップシール層（６）に含まれている。
【００４７】
また、ヒートシール層（９）は、接着性樹脂層（７）とシーラント層（８）とからなり、これら全てが蓋材（１０）およびプルタブ（１１）を構成する積層体として積層されている。
【００４８】
容器本体（２０）と蓋材（１０）とはシーラント層（８）で接しており、容器本体（２０）の開口部（２１）の周縁部（２２）でヒートシール部（３１）を形成して、カップ型容器は密封されている。
【００４９】
またヒートシール層（９）には２種類のハーフカットが設けてあり、それぞれ、開口部の縁に設けられたハーフカット（１２）、および周縁部の外周に沿って設けられたハーフカット（１３）である。
【００５０】
これらのハーフカットの深さは、容器内側のヒートシール層（９）の厚さ以内であれば良く、容器外側のトップシール層（６）、もしくはガスバリアフィルム層（５）などに影響を与えない範囲のものとする。
【００５１】
カップ型容器（３０）の開封に際しては、プルタブ（１１）を手指で摘まんで引っ張り、それに連続する蓋材（１０）を容器本体（２０）から剥離して開封することができる。
【００５２】
このとき、開口部（２１）の周縁部（２２）においては、蓋材（１０）のヒートシール層（９）は、ヒートシール部（３１）と、その両側に設けられたハーフカットによって、容器本体（２０）の開口部（２１）の周縁部（２２）に残り、トップシール層（６）、およびその他のヒートシール層（９）のみが、剥離する。
【００５３】
これら蓋材（１０）を構成する各層について、同じく図３を参照しながら、さらに詳細な説明を加える。
【００５４】
図３に示す例において、蓋材（１０）の基材として、基材フィルム層（１）を示してあるが、本発明において、蓋材（１０）は、プラスチックフィルム、のほか紙、金属箔などを基材として、それらの単体またはさらに他の層と積層したもので構成することが可能である。
【００５５】
プラスチックフィルムは、高分子樹脂組成物からなるフィルムであって、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。
【００５６】
特にポリプロピレン、ポリエチレンテレフタレートをプラスチックフィルムとする場合は、フィルム強度と価格においてより好ましい。そのほか延伸ポリアミドフィルムを用いる場合には、積層体に突き刺しに対する強靭性や、衝撃に対する強靭性を付与することができる。
【００５７】
また基材フィルム層（１）は、接着剤層（２）を介して他の層と積層して積層体とすることができる。積層体の層構成やその材料構成、厚さなどは、要求品質に応じて、また選択的な機能付与のために、適宜設計することができる。
【００５８】
図３に示す例において、基材フィルム層（１）は接着剤層（２）を介して、ガスバリアフィルム層（５）と積層されている。
【００５９】
本発明において蓋材（１０）は、内容物の保存性の向上を主目的として、金属箔もしくは無機化合物の蒸着層からなる、ガスバリア層（３）を含む層構成とすることができる。図３に示す例においては、無機化合物の蒸着層をガスバリア層（３）としてプラスチックフィルム層（４）の表面に設けた、ガスバリアフィルム層（５）を含む例である。
【００６０】
またアルミニウムなどの金属箔もガスバリア層として有効ではあるが、電子レンジでの
調理が想定される場合には、高周波によるスパークなどが発生する恐れがあるために注意を要する。
【００６１】
ガスバリアフィルム層（５）の場合には、用いられるプラスチックフィルムは、高分子樹脂組成物からなるフィルムであって、基材フィルム（１）と同様に、たとえばポリオレフィン（ポリエチレン、ポリプロピレン等）、ポリエステル（ポリエチレンテレフタレート、ポリブチレンテレフタレート、ポリエチレンナフタレート等）、ポリアミド（ナイロンー６、ナイロンー６６等）、ポリイミドなどが使用でき、用途に応じて適宜選択される。特にポリプロピレン、ポリエチレンテレフタレートをプラスチックフィルム基材とする場合は、フィルム強度と価格においてより好ましい。
【００６２】
ガスバリアフィルム層（５）の場合、ガスバリア層（３）は無機化合物の蒸着層、コーティング層で構成することができ、プラスチックフィルムにアンカーコートを設けた後、蒸着層、コーティング層を順次設ける。
【００６３】
ガスバリアフィルム層（５）のアンカーコート層には、例えばウレタンアクリレートを用いることができる。アンカーコート層の形成には、樹脂を溶媒に溶解した塗料をグラビアコーティングなど印刷手法を応用したコーティング方法を用いるほか、一般に知られているコーティング方法を用いて塗膜を形成することができる。
【００６４】
蒸着層を形成する方法としては，ＳｉＯやＡｌＯなどの無機化合物を真空蒸着法を用いて、アンカーコート層を設けたプラスチックフィルム上にコーティングし、真空蒸着法による無機化合物層を形成することができる。ちなみに蒸着層の厚みは１５ｎｍ〜３０ｎｍが良い。
【００６５】
コーティング層を形成する方法としては、水溶性高分子と、（ａ）一種以上のアルコキシドまたはその加水分解物、または両者、あるいは（ｂ）塩化錫の、少なくともいずれかひとつを含む水溶液あるいは水／アルコール混合水溶液を主剤とするコーティング剤をフィルム上に塗布し、加熱乾燥してコーティング法による無機化合物層を形成しコーティング層とすることができる。このときコーティング剤にはシランモノマーを添加しておくことによってアンカーコート層との密着の向上を図ることができる。
【００６６】
無機化合物層は真空蒸着法による塗膜のみでもガスバリア性を有するが、コーティング法による無機化合物層であるコーティング層を真空蒸着法による無機化合物層である蒸着層に重ねて形成し、ガスバリア層とすることができる。
【００６７】
これら２層の複合により、真空蒸着法による無機化合物層とコーティング法による無機化合物層との界面に両層の反応層を生じるか、或いはコーティング法による無機化合物層が真空蒸着法による無機化合物層に生じるピンホール、クラック、粒界などの欠陥あるいは微細孔を充填、補強することで、緻密構造が形成される。
【００６８】
そのため、ガスバリアフィルム層（５）としてより高いガスバリア性、耐湿性、耐水性を実現するとともに、外力による変形に耐えられる可撓性を有するため、蓋材（１０）としての適性も具備することができる。
【００６９】
またガスバリア層（３）として、たとえばＳｉＯを用いる場合にはその被膜は透明であるために、内容物を蓋材（１０）の外側から目で見ることが可能である。これらは、用途、要求品質によって適宜使い分けをすればよい。
【００７０】
シーラント層（８）に関しては、蓋材（１０）と容器本体（２０）のシールは、たとえ
ば蓋材（１０）の容器本体（２０）側の表面にシーラント層（８）を設けてシールして、カップ型容器（３０）を密封することができる。このとき、トップシール層（６）とは、接着性樹脂層（７）を介して積層することができ、層間の密着性を強化することに有効である。
【００７１】
シーラント層（８）の材質としては、熱可塑性樹脂のうちポリオレフィン系樹脂が一般的に使用され、具体的には、低密度ポリエチレン樹脂（ＬＤＰＥ）、中密度ポリエチレン樹脂（ＭＤＰＥ）、直鎖状低密度ポリエチレン樹脂（ＬＬＤＰＥ）、エチレン−酢酸ビニル共重合体（ＥＶＡ）、エチレン−αオレフィン共重合体、エチレン−メタアクリル酸樹脂共重合体などのエチレン系樹脂や、ポリエチレンとポリブテンのブレンド樹脂や、ホモポリプロピレン樹脂（ＰＰ）、プロピレン−エチレンランダム共重合体、プロピレン−エチレンブロック共重合体、プロピレン−αオレフィン共重合体などのポリプロピレン系樹脂等を使用することができる。また、シール強度の点からは、容器本体（２０）の材質などを考慮して、適宜選択することができる。
【００７２】
シーラント層（８）の形成には、押出機などを用いて溶融した樹脂を製膜して、蓋材（１０）の容器本体側表面に層形成することができる。これは前述のように、接着性樹脂層（７）を介して積層することが可能であり、層間の密着性の強化の点で好ましい。
【００７３】
あるいは、あらかじめフィルムの状態に製膜してある材料を、ラミネートによって積層することによって、蓋材（１０）を構成する積層体の表面にシーラント層（８）を形成することも可能である。
【００７４】
また、容器本体（２０）についても、ガスバリア層を層構成に含むか、もしくは表面に設けることができる。これは、蓋材（１０）の場合と同様に、たとえば内容物の保存性の向上や、環境による内容物の変質の防止などを目的とする。
【００７５】
たとえば、容器本体（２０）を構成する層中にエチレン・ビニルアルコール共重合樹脂をガスバリア層として設けることも有効であり、また容器本体（２０）に対してその表面にガスバリア性のある樹脂材料をコーティングして、ガスバリア層を形成するのでもよい。
【００７６】
図４は、本発明に係る易開封機能つきカップ型容器の一実施態様において、カップ型容器の開封途中の状態を説明するための、断面模式図である。
【００７７】
前述のように、蓋材（１０）は、容器外側に向けて突き出して配置された、プルタブ（１１）を有しており、プルタブ（１１）を有していることによって、カップ型容器（３０）の開封に際しては、プルタブ（１１）を手指で摘まんで、図中矢印の方向に引っ張り、それに連続する蓋材（１０）を、容器本体（２０）から剥離して開封することができる。
【００７８】
蓋材（１０）のうち、開口部（２１）の周縁部（２２）のヒートシール層（６）が、周縁部（２２）に残留し、トップシール層（６）、および周縁部（２２）以外の部分のヒートシール層（９）は、プルタブ（１１）とともに剥離され、カップ型容器（３０）は開封される。
【００７９】
図５は、本発明に係る易開封機能つきカップ型容器の一実施態様において、カップ型容器が開封され、蓋材を分離して、開口部が全て露出した状態を説明するための、断面模式図である。
【００８０】
図４において示した状態から、さらにプルタブ（１１）を手指で摘まんで引っ張り、そ
れに連続する蓋材（１０）を、容器本体（２０）から完全に剥離して開封することができる。
【００８１】
このように、蓋材（１０）と容器本体（２０）が完全に分離された状態においては、開口部（２１）は完全に開口しており、内容物（４０）の取り出しを、より容易に行なうことができる。
【００８２】
図６は、本発明に係る易開封機能つきカップ型容器の一実施態様において、容器本体の凹みを、一方の手指で押さえて開封する様子を説明するための、斜視模式図である。
【００８３】
前述のように、本発明によるカップ型容器（３０）の開封に際しては、プルタブ（１１）を手指で摘まんで引っ張り、それに連続する蓋材（１０）を容器本体（２０）から剥離して開封することができる。
【００８４】
この開封は易開封であって、蓋材（１０）がトップシール層（６）とヒートシール層（９）との二重構造であること、またヒートシール層（９）へのハーフカットによって、容器本体（２０）の開口部（２１）の周縁部（２２）への残留部分と、剥離部分の区分と分離の安定化によって、易開封を可能にしたものである。
【００８５】
さらに本発明による易開封機能つきカップ型容器（３０）は、容器本体（２０）には、胴部（２３）に手指で把持可能な凹み（２５）、もしくは把持によって容易に形成される凹み（２５）が設けられていることを特徴とするものである。
【００８６】
凹み（２５）は１箇所設けるものであっても良く、また複数個所設けることもできこの場合には、手指による把持は一層安定的なものとなる。図６に示す例において、図には全てが示されていないが、凹み（２５）は四角形の胴部の各面に１箇所づつ、計４箇所に設けてある例を意図している。
【００８７】
この凹み（２５）を、プルタブ（１１）を摘まむ片方の手の反対側の、もう一方の手指で把持することにより、カップ型容器（３０）の開封はより一層容易で、安定したものとなる。
【００８８】
図６に示す例においては、左手の親指と人差し指で、容器本体の胴部に設けられた凹み（２５）を把持している状態であり、カップ型容器（３０）の開封は、左手による容器本体の把持と、右手によるプルタブ（１１）の引っ張りの両方で、容易かつ安定して行なわれる。すなわち、より小さな力で安定して開封可能な、易開封機能つきカップ型容器（３０）の実現が可能である。
【００８９】
また、この凹み（２５）は、凹み（２５）が予め形成されている例である。あるいは、凹み（２５）は、手指による把持によって容易に形成される機構のものであってもよい。その形成の機構については、特段の制約を設けるものではないが、たとえば、折り罫線を胴部に設けるなどすることによっても実現することができる。
【００９０】
また、容器本体（２０）に凹み（２５）、もしくは手指による把持によって容易に形成される凹み（２５）は、１箇所に設けるのでも効果的ではあるが、２箇所以上設けられていることによって、容器本体（２０）をより安定して把持することが可能になる。そのため、より小さな力で安定して開封可能な、易開封機能つきカップ型容器（３０）を提供することが可能である。
【００９１】
図７は、本発明に係る易開封機能つきカップ型容器の一実施態様のうち容器本体が四角
形の場合に関して、胴部の凹みが１箇所の例を説明するための、容器上部より見た平面模式図である。
【００９２】
胴部の凹み（２５）は１箇所であるが、この凹みを利用して、手指による把持は可能であり、より小さな力で安定して開封可能な、易開封機能つきカップ型容器（３０）を提供することが可能である。
【００９３】
また、図８は、本発明に係る易開封機能つきカップ型容器の一実施態様のうち容器本体が四角形の場合に関して、胴部の凹みが２箇所の例を説明するための、容器上部より見た平面模式図である。
【００９４】
胴部の凹み（２５）は四角形の対向する辺の２箇所であるが、この凹みを利用して、手指による把持は可能であり、２箇所あることによって、手指でたとえば親指と、人差し指もしくは中指とで挟みこむように把持することが可能であり、１箇所の場合に比べて、より小さな力で安定して開封可能な、易開封機能つきカップ型容器（３０）を提供することが可能である。
【００９５】
また、図９は、本発明に係る易開封機能つきカップ型容器の一実施態様のうち容器本体が四角形の場合に関して、胴部の凹みが３箇所の例を説明するための、容器上部より見た平面模式図である。
【００９６】
胴部の凹み（２５）は四角形のうち２箇所であるが、この凹みを利用して、手指による把持は可能であり、３箇所あることによって、手指と手のひらで挟みこむように把持することが可能であり、１箇所または２箇所の場合に比べて、より小さな力で安定して開封可能な、易開封機能つきカップ型容器（３０）を提供することが可能である。
【００９７】
また、図１０は、本発明に係る易開封機能つきカップ型容器の一実施態様のうち容器本体が四角形の場合に関して、胴部の凹みが４箇所の例を説明するための、容器上部より見た平面模式図である。
【００９８】
胴部の凹み（２５）は四角形のうち４箇所であるが、この凹みを利用して、手指による把持は可能であり、４箇所あることによって、手指で把持することが、どの方向からも可能であり、把持の仕方に自由度が増す利点がある。これは、たとえば左利きの人などには便利な点である。そのため、より小さな力で安定して開封可能な、易開封機能つきカップ型容器（３０）を提供することが可能である。
【００９９】
図１１は、本発明に係る易開封機能つきカップ型容器の一実施態様のうち容器本体が円形の場合に関して、胴部の凹みが１箇所の例を説明するための、容器上部より見た平面模式図である。
【０１００】
円柱形状の胴部の凹み（２５）は１箇所であるが、この凹みを利用して、手指による把持は可能であり、より小さな力で安定して開封可能な、易開封機能つきカップ型容器（３０）を提供することが可能である。
【０１０１】
また、図１２は、本発明に係る易開封機能つきカップ型容器の一実施態様のうち容器本体が円形の場合に関して、胴部の凹みが２箇所の例を説明するための、容器上部より見た平面模式図である。
【０１０２】
円柱形状の胴部の凹み（２５）は、円柱形状の胴部の対向する位置に２箇所であるが、この凹みを利用して、手指による把持は可能であり、２箇所あることによって、手指でた
とえば親指と、人差し指もしくは中指とで挟みこむように把持することが可能であり、１箇所の場合に比べて、より小さな力で安定して開封可能な、易開封機能つきカップ型容器（３０）を提供することが可能である。
【０１０３】
このように本発明によれば、プルタブ付きの蓋材で密封された、カップ型容器において、プルタブがつまみやすく、また、開封においても、蓋材とカップ型容器本体とのシール強度を妨げることなく、より小さな力で安定して開封可能な、易開封機能つきカップ型容器を提供することが可能である。
【符号の説明】
【０１０４】
１・・・基材フィルム層
２・・・接着剤層
３・・・ガスバリア層
４・・・プラスチックフィルム層
５・・・ガスバリアフィルム層
６・・・トップシール層
７・・・接着性樹脂層
８・・・シーラント層
９・・・ヒートシール層
１０・・・蓋材
１１・・・プルタブ
１２・・・開口部の縁に設けられたハーフカット
１３・・・周縁部の外周に沿って設けられたハーフカット
１５・・・シール部
２０・・・容器本体
２１・・・開口部
２２・・・周縁部
２３・・・胴部
２４・・・底部
２５・・・凹み
３０・・・カップ型容器
３１・・・ヒートシール部
４０・・・内容物
【図１】
2020075725.tif 000003
【図２】
2020075725.tif 000004
【図３】
2020075725.tif 000005
【図４】
2020075725.tif 000006
【図５】
2020075725.tif 000007
【図６】
2020075725.tif 000008
【図７】
2020075725.tif 000009
【図８】
2020075725.tif 000010
【図９】
2020075725.tif 000011
【図１０】
2020075725.tif 000012
【図１１】
2020075725.tif 000013
【図１２】
2020075725.tif 000014